(57)【要約】【課題】掛け渡され垂れ下がった布の一方が引っ張られても該布のズレ落ちを防止できる布固定具を提供する。【解決手段】本体1を第１部分11と第２部分10とから構成し、前記第１部分11に布固定部材14を設け、掛け渡された布を前記第２部分10と前記布固定部材14とによって狭着固定可能とした。第１部分は第２部分から起立する第１支持部を有し、布固定部材は布を掛け渡す布掛けバーであり、前記布固定部材を前記第１支持部の所定の軸周りに回転可能に設けたものとすることができる。【選択図】図１
0003159457.tif 000002
【実用新案登録請求の範囲】
【請求項１】
本体を第１部分と第２部分とから構成し、
前記第１部分に布固定部材を設け、掛け渡された布を前記布固定部材と前記第２部分とによって狭着固定可能としたことを特徴とする布固定具。
【請求項２】
第１部分は第２部分から起立する第１支持部を有し、
布固定部材は布を掛け渡す布掛けバーであり、前記布固定部材を前記第１支持部
の所定の軸周りに回転可能に設けた請求項１に記載の布固定具。
【請求項３】
第１部分はさらに第１支持部と対向して第２部分から起立する第２支持部を有し、
前記第２支持部と布固定部材とに布装着時に嵌合可能な雄部と雌部とを形成した請求２に記載の布固定具。
【請求項４】
第１部分はさらに第１支持部と対向して第２部分から起立する第２支持部を有し、
前記第２支持部と布固定部材とが布装着時に磁気で吸着可能とした請求項２に記載の布固定具。
【請求項５】
第１支持部に所定の軸を含む凹部を形成し、前記凹部内の上面と布固定部材の上面とに接触するようにバネを設けた請求項４に記載の布固定具。
【考案の詳細な説明】
【技術分野】
【０００１】
本考案は、掛け渡された布のズレ落ちを防止する布固定具に関する。
【背景技術】
【０００２】
従来、布類、例えばタオルを使用する際、タオルバーやタオルリングなどにタオルを二つ折りにしてバランスを保って掛けるか、若しくは洗濯挟みなどでタオルをタオルバー等に固定してタオルがズレ落ちるのを防いでいた。
【０００３】
しかし、タオルバー等は大人の使用を想定して高い位置に設けることが多い。そのため、例えば子供がタオルを使用すると二つ折りにして掛け渡され垂れ下がったタオルの一方が引っ張られ床にズレ落ちる場合がある。
【０００４】
そこで、タオル固定具本体枠の内部にタオル固定具部を設け、タオルをタオル固定具部に掛けるように通し、垂れ下がったタオルの一方を本体枠とタオル固定具部の間を通すように掛けることにより、タオルのズレ落ちを防止する技術が提案されている（特許文献１参照）。
【先行技術文献】
【特許文献】
【０００５】
【特許文献１】特開２００２−２２３９８０号公報
【考案の概要】
【考案が解決しようとする課題】
【０００６】
しかしながら、特許文献１に記載のタオル固定具においても、タオルがＳ字形に掛け渡されているだけであるため、掛け渡され垂れ下がったタオルの一方が引っ張られるとバランスが崩れ本体枠とタオル固定具からタオルがズレ落ちる恐れがある。
【０００７】
本考案は、上記課題に鑑みてなされたものであり、掛け渡され垂れ下がった布の一方が引っ張られても布のズレ落ちを防止できる布固定具を提供することを課題とする。
【課題を解決するための手段】
【０００８】
上記課題は、以下の手段によって解決される。
請求項１に係る考案は、本体を第１部分と第２部分とから構成し、前記第１部分に布固定部材を設け、掛け渡された布を前記布固定部材と前記第２部分とによって狭着固定可能としたことを特徴とする布固定具である。
請求項２に係る考案は、第１部分は第２部分から起立する第１支持部を有し、布固定部材は布を掛け渡す布掛けバーであり、前記布固定部材を前記第１支持部の所定の軸周りに回転可能に設けた請求項１に記載の布固定具である。
請求項３に係る考案は、第１部分はさらに第１支持部と対向して第２部分から起立する第２支持部を有し、前記第２支持部と布固定部材とに布装着時に嵌合可能な雄部と雌部とを形成した請求項２に記載の布固定具である。
請求項４の考案は、第１部分はさらに第１支持部と対向して第２部分から起立する第２支持部を有し、前記第２支持部と布固定部材とが布装着時に磁気で吸着可能とした請求項２に記載の布固定具である。
請求項５の考案は、第１支持部に所定の軸を含む凹部を形成し、前記凹部内の上面と布固定部材の上面とに接触するようにバネを設けた請求項４に記載の布固定具である。
【考案の効果】
【０００９】
請求項１に係る考案によれば、掛け渡された布を第２部分と布固定部材とで狭着固定できる。これによって、掛け渡され垂れ下がった布の一方が引っ張られても布のズレ落ちを防ぐことができる。
【００１０】
請求項２に係る考案によれば、布を掛け渡す布固定部材が第１支持部を中心として回転可能となる。これにより、布の着脱操作時に第２部分と布固定部材とを離間させることができるので、布の着脱操作が容易となる。  
【００１１】
請求項３に係る考案によれば、布装着時に、布固定部材と第２支持部とが嵌合するので、布固定部材の第２支持部からの離間を防ぐことができる。これにより、布装着時に布固定部材が第２支持部から離間して、掛け渡された布がズレ落ちるのを防ぐことができる。
【００１２】
請求項４に係る考案によれば、布固定部材と第２支持部とが磁力で吸着結合できるので、布固定部材と第２支持部とを容易に着脱できる。
【００１３】
請求項５に係る考案によれば、バネによって布固定部材の上面に第２部分方向への力が印加されるので、布をさらに強く狭着固定できる。
【図面の簡単な説明】
【００１４】
【図１】第１実施形態に係る布固定具の全体構成の概略を示す斜視図である。
【図２】タオル着脱時の布掛けバーと突起カムとの関係を示す説明図である。
【図３】タオル装着時の布掛けバーと突起カムとの関係を示す説明図である。
【図４】第１実施形態に係る布固定具のタオル装着時の状態を示す斜視図である。
【図５】第２実施形態に係る布固定具の全体構成の概略を示す斜視図である。
【図６】第２実施形態に係る布固定具の第１凹部の内部構造を示す説明図である。
【考案を実施するための形態】
【００１５】
以下、この考案の好適な実施形態を、図面を参照して説明する。
（第１実施形態）
本実施形態に係る布固定具1は、図１に示すようにタオル支持部（第２部分）10と、前記タオル支持部10から対向して起立した第１支持部11（左側）と第２支持部12（右側）と、前記第１支持部11と前記第2支持部12とを結合し布固定具1を壁等の突起物に掛設する壁面掛設部13（前記第１支持部11、前記第２支持部12及び前記壁面掛設部13で第１部分を構成する）と、前記タオル支持部10の上方に位置する布掛けバー14等を備える。第１部分の前記各部と第２部分は棒状であり、第１部分は略コ字状に曲がった形状とし、第２部分とで枠状を形成している。
【００１６】
第１支持部11には略円柱形状の第１凹部110を設ける。また、第１凹部110内には長手方向に支軸111を掛設し、さらに図２に示すように第１凹部110内の下面112には短手方向にトンネルないし略カマボコ形状となった表面が凸曲面状の突起カム113を突設する。
【００１７】
支軸111は、図２に示すように布掛けバー14の端部に設けられた貫通孔141及び突起カム113を貫通する。
ここで、布掛けバー14を、支軸111を中心として回転可能、支軸111の長手方向に変位可能、タオル装着時に、布掛けバー14がタオル支持部10と平行、かつ、布掛けバー14によって掛け渡されたタオルとタオル支持部10が狭着固定可能な位置に設ける。
【００１８】
また、同時に、布掛けバー14を、布掛けバー14の第１支持部11側の終端部の下部に設けられた第２凹部142と突起カム113と、布掛けバー14のもう一方の終端部に設けられた雄部143と第２支持部12に設けられた雌部121とをそれぞれ嵌合可能な位置に設ける。
【００１９】
タオルの着脱操作時には、図２に示すように第２凹部142の近傍下面は突起カム113に乗り上げた状態となる。
一方、タオル装着時には、図３に示すように突起カム113と第２凹部142とは嵌合し、また図４に示すように雄部143と雌部121も嵌合する。これによって、タオルは、タオル支持部10と布掛けバー14とによって狭着固定される。
【００２０】
本実施形態に係る布固定具1は以下のように利用される。
まず、タオルの装着操作時には、布掛けバー14を押し上げ、雄部143と雌部121との嵌合と、第２凹部142と突起カム113との嵌合をそれぞれ外す。次に、布掛けバー14を、その雄部143がタオル支持部10から離間する方向（前方）に引くと、布掛けバー14は支軸111を中心に回転する（図１）。その結果、第２凹部142の近傍下面が突起カム113に乗り上げた状態となり布掛けバー14は突起カム113の高さに押し上げられる（図２）。
【００２１】
次に、布掛けバー14にタオルTを掛け渡した後、布掛けバー14を第２支持部12の方向に押すと布掛けバー14が回転する。そして、突起カム113と第２凹部142とが、また雄部143と雌部121とがそれぞれ嵌合し（図３及び図４）、布掛けバー14は下がり、タオルTは狭着固定される（図４）。なお、タオル脱着時の操作は、タオル装着操作と同様の操作を行えば良い。
【００２２】
以上のように、本実施形態に係る布固定具1は以下のような効果を発揮する。
まず、布掛けバー14に掛け渡されたタオルTが布掛けバー14とタオル支持部10によって狭着固定されるので、掛け渡され垂れ下がったタオルTの一方が引っ張られてもズレ落ちない。
【００２３】
また、突起カム113と第２凹部142とが、また雌部121と雄部143とがそれぞれ嵌合するので、タオル装着時に布掛けバー14が第２支持部12から離脱してタオルTが落下するのを防げる。
【００２４】
さらに、第２凹部142の近傍下面が突起カム113の山稜部と接しながら回転するので布掛けバー14は滑らかに回転し、布掛けバー14の第２支持部12からの着脱が容易となる。
【００２５】
(第２実施形態)
次に、本考案に係る第２実施形態を、図面を参照して説明する。なお、以下では第１実施形態と同じ機能を有するものには同じ符号を割り当て、詳細な説明は割愛する。
【００２６】
本実施形態に係る布固定具1aは、図５に示すように第２支持部12に第３凹部123を、布掛けバー14の端部に磁石143をそれぞれ備える。また、第３凹部123内には、磁石143をタオル装着時に磁気で吸着するように磁石124を設ける。
【００２７】
また、図５に示すように第１凹部110内に一端が第１凹部110の上面に、他端が布掛けバー14の上面にそれぞれ接するように支軸111に巻き付けたバネ113を設ける。
【００２８】
本実施形態に係る布固定具1aは以下のように使用される。
タオル装着操作時は、布掛けバー14を、その雄部144が第２支持部12から離間する方向（前方）に引くと、磁石144と磁石124との吸着状態が外れ布掛けバー14は支軸111を中心に回転する。
【００２９】
次に、タオルを布掛けバー14に掛け渡す。その後、布掛けバー14を第２支持部12の方向へ押すと、布掛けバー14が回転し、磁石124と磁石144とが磁気で吸着する。その結果、タオルは布掛けバー14とタオル支持部10とに狭着固定される。なお、タオル脱着操作時は、タオル装着操作時と同じ操作をすると良い。
【００３０】
以上の構成により、本実施形態に係る布固定具1aは以下の効果を発揮する。
まず、タオル装着時、布掛けバー14の上面にバネ113からの力が印加されるので、布掛けバー14に掛け渡されたタオルをさらに強固に狭着固定できる。
【００３１】
また、第２支持部12と布掛けバー14とが磁力で吸着結合するので、布掛けバー14の第２支持部12への取り付けや、第２支持部12からの取外しが容易となる。これにより、タオルの着脱操作が簡単にできる。
【００３２】
上記実施形態において、タオル支持部10、第１支持部11、第２支持部12、壁面掛設13部及び布掛バー14等は、タオルの重量に耐えられるものとなっており、プラスチック、金属、木等の各種素材から作られる。また、その断面が円形形状、多角形形状などからなり、タオルを掛けるのに適したものとなっている。
【００３３】
また、この考案は上述の実施形態の構成に限定されるものではなく、形状、寸法、材質等を適宜変更して実施することができる。
【符号の説明】
【００３４】
１  布固定具
１０  タオル支持部
１１  第１支持部
１２  第２支持部
１３  壁面掛設部
１４  布掛けバー
１１０  第１凹部
１１１  支軸
１２１  雌部（第１実施形態）
１２４  雌部磁石（第２実施形態）
１４３  雄部（第１実施形態）
１４４  雄部磁石（第２実施形態）
【図１】
0003159457.tif 000003
【図２】
0003159457.tif 000004
【図３】
0003159457.tif 000005
【図４】
0003159457.tif 000006
【図５】
0003159457.tif 000007
【図６】
0003159457.tif 000008